(57)【要約】【課題】利用者自身の感性に応じた自由な落書き画像などを自由に登録し、再利用することができる画像プリント装置を提供すること。【解決手段】被写体を撮影するカメラと、撮影した被写体像を表示する表示装置と、表示された被写体像に対する編集操作を行う入力装置と、編集された被写体像を写真シールに印刷して出力する出力装置とを備えた画像プリント装置において、前記被写体像に対して合成する合成用画像を前記入力装置の描画操作に従って前記表示装置の表示画面上で作成する合成用画像作成手段と、作成した複数の合成用画像を記憶装置に登録する登録手段と、登録された複数の合成用画像のうち前記入力装置による指定操作によって指定された合成用画像を前記記憶装置から読出し、被写体像と合成する編集手段とを備えることを特徴とする。【選択図】        図９
2004274421.tif 000002
【特許請求の範囲】
【請求項１】
被写体を撮影するカメラと、撮影した被写体像を表示する表示装置と、表示された被写体像に対する編集操作を行う入力装置と、編集された被写体像を写真シールに印刷して出力する出力装置とを備えた画像プリント装置において、
前記被写体像に対して合成する合成用画像を前記入力装置の描画操作に従って前記表示装置の表示画面上で作成する複数の合成用画像作成手段と、作成した複数の合成用画像を記憶装置に登録する登録手段とを有し、
前記登録手段によって登録された合成用画像のうち前記入力装置による指定操作によって指定された合成用画像を前記記憶装置から読出し、被写体像と合成する編集手段とを備えることを特徴とする画像プリント装置。
【請求項２】
前記複数の合成用画像作成手段の少なくとも一つは、写真シールの印刷動作中に合成用画像を作成することを特徴とする請求項１に記載の画像プリント装置。
【請求項３】
前記複数の合成用画像作成手段の少なくとも一つは、撮影された被写体画像に利用者が前記入力装置の描画操作を用いて、落書き画像の入力、編集を行い、前記撮影された被写体にその場で反映することを特徴とする請求項１または２に記載の画像プリント装置。
【請求項４】
前記記憶装置に登録する合成用画像が規定数に達した場合には、登録済みの合成用画像に付記されている利用頻度の情報に応じて、利用頻度の少ないものから順に削除する管理手段をさらに備えることを特徴とする請求項１〜３のいずれか一項に記載の画像プリント装置。
【発明の詳細な説明】
【０００１】
【発明の属する技術分野】
本発明は、利用者の全身または上半身を撮影して写真シールに印刷して出力する画像プリント装置に係り、特に、撮影した被写体像に対して装飾画像あるいは落書き画像などを合成して出力する画像プリント装置に関するものである。
【０００２】
【従来の技術】
従来、この種の画像プリント装置として、表示装置の表示画面上に落書き用の複数のキャラクタ画像を表示させ、この中から任意の落書き用画像を利用者に選択させ、その選択した落書き用画像を表示画面の任意の位置に配置させることにより、被写体像に落書き用画像が合成された写真シールを出力するように構成したものがある（特許文献１参照）。
【０００３】
【特許文献１】
特開２０００−３０４６９９号公報
【０００４】
【発明が解決しようとする課題】
しかしながら、上記従来の画像プリント装置では管理者のみが落書き画像を登録可能になっているため、利用者自身で好みの落書き画像を登録し、それを利用することができない。このため、落書き画像の種類が限定されたものとなり、多くの利用者の奇抜な感性を反映した面白みのある落書き、あるいは装飾性に優れた落書き画像を合成したプリント出力を得ることができないという問題があった。
本発明の目的は、利用者自身の感性に応じた自由な落書き画像などを自由に登録し、再利用することができる画像プリント装置を提供することにある。
【０００５】
【課題を解決するための手段】
上記目的を達成するために、本発明は、被写体を撮影するカメラと、撮影した被写体像を表示する表示装置と、表示された被写体像に対する編集操作を行う入力装置と、編集された被写体像を写真シールに印刷して出力する出力装置とを備えた画像プリント装置において、前記被写体像に対して合成する合成用画像を前記入力装置の描画操作に従って前記表示装置の表示画面上で作成する複数の合成用画像作成手段と、作成した複数の合成用画像を記憶装置に登録する登録手段とを有し、前記登録手段によって登録された合成用画像のうち前記入力装置による指定操作によって指定された合成用画像を前記記憶装置から読出し、被写体像と合成する編集手段とを備えることを特徴とする。
また、前記複数の合成用画像作成手段の少なくとも一つは、写真シールの印刷動作中に合成用画像を作成することを特徴とする。
また、前記複数の合成用画像作成手段の少なくとも一つは、撮影された被写体画像に利用者が前記入力装置の描画操作を用いて、落書き画像の入力、編集を行い、前記撮影された被写体にその場で反映することを特徴とする。
また、前記記憶装置に登録する合成用画像が規定数に達した場合には、登録済みの合成用画像に付記されている利用頻度の情報に応じて、利用頻度の少ないものから順に削除する管理手段をさらに備えることを特徴とする。
【０００６】
【発明の実施の形態】
以下、本発明の実施の形態について図面を用いて具体的に説明する。
図１は本発明に係る画像プリント装置の実施の形態を示すシステム構成図である。この実施形態の装置は各種の施設内で任意の場所に移動し、撮影が行なえるよう構成されている。図１は、被写体（利用者）側から装置本体１００を見た場合の装置本体の正面図を示し、図２は斜視図を、図３は装置全体にカバー１０１が施してある状態を示す図である。
図１において、装置本体の正面ほぼ中央には被写体を撮影するデジタルカメラ３が設置されている。また、装置本体の上部および左右にはストロボ１ａ〜１ｃが設置されている。このストロボ１ａ〜１ｃはデジタルカメラ３で被写体を撮影するときのみ発光し、その光の強さにより撮影する画像の明るさを調整可能になっている。
また、上方および左右には、常時点灯し、操作中の利用者の周囲を照らすライト２ａ〜２ｃが設置されている。また、デジタルカメラ３の下方には、被写体を撮影するときに、実際に写っている画像を確認するための液晶モニタ４が設置されている。利用者は撮影のときに液晶モニタ４に表示される自分の像を見ながら、立つ位置やポーズ、顔の位置などを調整、確認する。
【０００７】
装置本体の胴部付近には、操作画面や進行状況、ガイダンスなどを表示するタッチパネル付きディスプレイ５が設けられている。利用者が入力装置を構成するタッチペン６でタッチパネル面のアイコンなどをタッチすると、タッチパネル付きディスプレイ５はその位置を検出し、接触位置に表示したアイコンに割り当てられた機能または動作を開始する。
この他に、スピーカ７、スイッチパネル８、課金装置９、ストロボ用電源１０、パーソナルコンピュータ１１、プリンタ１２、ＵＰＳ１３が設けられている。
スピーカ７は操作中の音楽やガイダンスの音声を出力する。課金装置９は利用料金の投入を受け付け、収納する。無料設定時を考慮し、取り外し可能なものとなっている。ストロボ用電源１０はストロボ１ａ〜１ｃに対して利用者が選択した明るさに応じた電力を供給する。
【０００８】
パーソナルコンピュータ１１は、撮影制御、撮影画像を加工または編集し利用者に落書き機能を提供する画像編集処理、印刷制御としての機能を有する。
プリンタ１２は画像を所定の用紙に印刷して出力する。ＵＰＳ１３は停電時にも電源供給をする無停電電源装置である。キャスター１４は装置筐体の移動時に使用し、位置決定後はロックする。スイッチパネル８はテスト用のスイッチやボリュームスイッチを固定したパネルである。
【０００９】
図４は、装置本体１００を側面から見た図であり、被写体となる利用者４１はデジタルカメラ３に向かって一定距離離れた位置で撮影を行う。
図５は印刷される画像の例を示す図であり、写真画像５０１には撮影された被写体画像５０２以外に、管理者または利用者の設定に応じてキャラクタ画像５０３を挿入することができる。
図６は、図１の構成おける各部の接続関係を示した機能構成ブロック図である。
デジタルカメラ３はパーソナルコンピュータ１１からの制御信号によって被写体画像を撮影し、撮影した画像のデータを液晶モニタ４に供給して表示させる。また、撮影した画像のデータをパーソナルコンピュータ１１に入力し、内部での画像編集用に供給する。パーソナルコンピュータ１１の内部には、装飾あるいは落書きを行うための合成用画像１１１０を登録するメモリ１１１が備えられている。合成用画像は、管理者または利用者が自由に作成して登録することができる。
【００１０】
パーソナルコンピュータ１１は、被写体像に対して合成する合成用画像を入力装置を構成するタッチペン６の描画操作に従ってディスプレイ５の表示画面上で作成する合成用画像作成手段と、作成した複数の合成用画像をメモリ１１１に登録する登録手段と、登録された複数の合成用画像のうちタッチペン６による指定操作によって指定された合成用画像をメモリ１１１から読出し、被写体像と合成する編集手段とを備える。合成用画像作成手段は、写真シールの印刷時間中において利用者が待機状態となるので、この待機状態を活用して合成用画像を作成するように構成されている。これらの合成用画像作成手段、登録手段、編集手段は、具体的にはプログラムによって構成される。
【００１１】
図７〜図９は、上記構成における動作を示すフローチャートである。このフローチャートで示す動作は、パーソナルコンピュータ１１の内部メモリに記憶された制御プログラムによって実現されるものである。
ここでは撮影を行なう上での設定としてコイン入力の受付の有無及び枚数、撮影時の撮影枚数、登録可能な落書き用自作キャラクタ数を予め設定してあるものとする。
本実施形態の画像プリント装置の動作では、図７（ａ）に示すように、まず、ライト２ａ〜２ｃが点灯される（ステップ７０１）。これは利用者が画像プリント装置の撮影室内に入ってきたことをセンサで確認することで点灯させる。
【００１２】
次に、利用者にからの課金を受付けた後（ステップ７０２）、利用者がタッチペン６でディスプレイ５に表示された撮影アイコンの操作に従って利用者の像を撮影する（ステップ７０３）。その後、撮影された被写体像に対する落書き処理を行う。このとき撮影された画像は複数枚選択可能であり、さらに複数枚の画像に落書き処理を行うことができる（ステップ７０４）。ここでいう落書き処理とは、利用者がペンや、タッチパネルに表示されている、線の太さ、種類、キャラクタなどを利用して、直接撮影された画像に対して、文字や絵などを書き込むことを意味する。落書き処理を施した画像の中で利用者が指定した１枚を印刷する（ステップ７０５）。このとき、印刷中の間、ミニゲームもしくは自作スタンプの作成処理が印刷とは別処理で起動される。
【００１３】
ミニゲームもしくは自作スタンプは任意に選択するか、もしくは自動的に選択される（ステップ７０６）。自作スタンプを選択した場合、利用者は自分でキャラクタをデザインし、自作スタンプの登録を行う（ステップ７０７）。なお、自作スタンプの生成はシールが印刷されている間、行うことができ、印刷が終了すると自動的にタイムアップとなり、自動的にそのスタンプが登録される、そのため、キャラクタをデザインし、自作スタンプを作成しているときには、後何秒で印刷が終了するか、印刷終了の残り時間をシステムが表示する（ステップ７０７）。シールの印刷が終了すると、ライト２ａ〜２ｃが消灯される（ステップ７０８）。
ミニゲーム開始時にはライト２ａ〜２ｃを点灯し（ステップ７０１）、課金受付（ステップ７０２）に移行する。ここでいう自作スタンプとは予め、いくつかのキャラクタや輪郭、アイコン画像、写真などが用意されており、これを組み合わせることによって作成された利用者独自の画像を意味する。
【００１４】
図４（ｂ）は課金受付の詳細を示すフローチャートである。
まず、課金受付を行うよう設定されているか否かを判断し（ステップ７１１）、課金を受付ける場合はパーソナルコンピュータ１１内のコイン投入枚数カウンタ（図示せず）の値を「０」にする（ステップ７１２）。
次に、コイン投入待ちとなり（ステップ７１３）、コインの投入が課金装置９によって検出されるとコイン投入枚数カウンタを「１」増やす（ステップ７１４）。この後、コインの投入枚数が指定された利用金額相当の枚数に達しているか否かを判断し（ステップ７１５）、達していなければコイン投入待ちに戻る（ステップ７１３）。
コイン投入枚数が利用金額相当になった場合は撮影に移行する（ステップ７０３）。
【００１５】
図４（ｃ）で示す撮影処理では、まず、タッチパネル付きディスプレイ５に明るさの一覧を表示し、利用者にタッチペン６で明るさを選択させる（ステップ７２１）。その後、利用者が選択した明るさをパーソナルコンピュータ１１がストロボ電源１０に設定する（ステップ７２２）。次にデジタルカメラ３を用いて撮影を行う（ステップ７２３）。このとき、デジタルカメラ３はストロボ１ａ〜１ｃをステップ７２２で設定した明るさで発光させる。
被写体の画像は、この実施形態では頭部から足元までの全身画像が撮影可能となっている。そして複数の撮影ポーズで複数枚の被写体画像がタイマで定められた時間間隔で撮影される。予め定められた複数枚の被写体画像が撮影されたならば、撮影した画像の全てをタッチパネル付きディスプレイ５に表示する（ステップ７２４）。利用者はタッチペン６を操作して１つの撮影画像を選択し、選択された画像のみをタッチパネル付きディスプレイ５に表示させる（ステップ７２５）。
【００１６】
図８（ａ）の落書き処理では最初にパーソナルコンピュータ１１のメモリ１１１内に登録されているスタンプのサンプルをタッチパネル付きディスプレイに表示する（ステップ８０１）。次に、利用者にスタンプを利用するか否か、利用する場合はどれを利用するかを選択させ（ステップ８０２）、利用する場合はタッチペン６で選択された位置にパーソナルコンピュータ１１のメモリ１１１に登録されているスタンプの「画像１」を図８（ｂ）のように表示させる（ステップ８０３）。その後、落書き処理を終了するかどうか利用者に選択させる（ステップ８０４）。
【００１７】
落書き処理が終了したならば、図８（ｃ）の印刷処理へ移行する。
まず、撮影画像と利用者が選択したスタンプの画像を合成し、その合成画像をプリンタ１１へ転送し（ステップ８１１）、印刷出力する（ステップ８１２）。印刷後、もう１枚印刷するかをディスプレイ５上で問い合わせ（ステップ８１３）、もう１枚印刷する旨の操作がされた場合は、必要金額の課金受付（ステップ８１４）したあとにステップ８１２へ戻って印刷を実行する。追加印刷しない場合は終了となる。
印刷後は図９の自作スタンプの作成に移行する。
【００１８】
自作スタンプ作成処理では、最初に、利用者に自作スタンプを作成するか否か選択させる（ステップ９０１）。作成するという選択操作がタッチペン６で行われた場合は、自作スタンプの作成画面をディスプレイ５上に表示する（ステップ９０２）。利用者はタッチペン６でタッチパネル付きディスプレイ５の画面上でペンタッチし、自作スタンプ作成画面に表示されているアイコンの中でどのアイコンの項目の処理を実行するか選択する（ステップ９０３）。
【００１９】
自作スタンプ作成中の表示画面の例を図１０（ａ）に示す。この画面では常にタッチペン６と基本スタンプのどちらか片方のみを選択しているものとする。
図１０の「大きさ選択」内のアイコンを選んだ場合、選択中のペンの太さまたは選択中の基本スタンプの大きさを、押した位置のアイコンの示す大きさに変更する（ステップ９０４）。
「ペン選択」内のアイコンを選んだ場合、選択中のペンまたは基本スタンプを押した位置のアイコンの示すペンに変更する（ステップ９０５）。
「基本スタンプ選択」内のアイコンを選んだ場合、選択中のペンまたは基本スタンプを押した位置のアイコンの示す基本スタンプに変更する（ステップ９０６）。
「自作スタンプ描画画面」内をタッチした場合（ステップ９０７）、選択しているアイコンがペンかスタンプかを判断し（ステップ９０９）、ペンであれば選択しているペンのアイコンの色と太さでタッチしている位置に線を描画する（ステップ９１０）。選択しているアイコンが基本スタンプの場合は選択している基本スタンプを選択している大きさでタッチしている位置に描画する（ステップ９１１）。
「終了ボタン」内をタッチした場合（ステップ９０８）、メモリ１１１に登済みの自作スタンプ数が規定数に達しているかどうかを判定し（ステップ９１２）、機規定数に達していた場合には、登録済みの自作スタンプの１つを削除する（ステップ９１３）。達していなければ、メモリ１１１に落書き用の自作スタンプ画像として登録し（ステップ９１４）、終了する。
プリント出力までの一連の処理が終了したならば、ライト２ａ〜２ｂを消灯させる。
【００２０】
ここで、自作スタンプ登録処理では利用者がタッチペン６の操作によって作成した自作スタンプをメモリ１１１に登録する際に、図１０（ｂ）に示すように、登録日１０１を付記して登録する。また、登録済みの自作スタンプが自分を含めた他の利用者に利用されるたびに、利用頻度の値を更新して登録する。メモリ１１１に登録された自作スタンプの数が規定数に達した場合には、利用頻度の少ないものから順に削除する。これにより、利用頻度の多い自作スタンプが生き残り、利用者に再利用される。また、利用頻度の値が同数のものは、登録日が古いものが削除される。
なお、作成した自作スタンプを作成者自身が利用する場合、一旦、被写体画像をプリント出力し、その後に被写体画像を再度撮影し、その撮影画像に合成する自作スタンプを選択して印刷させるという工程になる。
【００２１】
【発明の効果】
以上のように、本発明によれば、利用者自身で落書き用あるいは装飾用の画像を作成して登録する機能を設けたため、利用者の奇抜な感性を反映した面白みのある落書き、あるいは装飾性に優れた落書き画像を合成したプリント出力を得ることができる。また、他の利用者にも再利用させることができる。
【図面の簡単な説明】
【図１】本発明の実施形態を示すシステム構成図である。
【図２】装置本体の斜視図である。
【図３】装置本体にカバーを懸けた状態を示す図である。
【図４】装置本体の側面図である。
【図５】印刷出力されるプリント画像の例を示す図である。
【図６】図１の機能構成ブロック図である。
【図７】図１の構成における動作の概要を示すフローチャートである。
【図８】落書き処理、印刷処理を示すフローチャートおよび落書き画面の例を示す図である。
【図９】自作スタンプ作成処理の概要を示すフローチャートである。
【図１０】自作スタンプ作成画面の例を示す図である。
【符号の説明】
１ａ〜１ｃ…ストロボ、２ａ〜２ｃ…ライト、３…デジタルカメラ、４…液晶モニタ、５…タッチパネル付きディスプレイ、６…タッチペン、７…スピーカ、８…スイッチパネル、９…  課金装置、１０…ストロボ用電源、１１…パーソナルコンピュータ、１２…プリンタ、１３…ＵＰＳ、１１１…メモリ。
【図１】
2004274421.tif 000003
【図２】
2004274421.tif 000004
【図３】
2004274421.tif 000005
【図４】
2004274421.tif 000006
【図５】
2004274421.tif 000007
【図６】
2004274421.tif 000008
【図７】
2004274421.tif 000009
【図８】
2004274421.tif 000010
【図９】
2004274421.tif 000011
【図１０】
2004274421.tif 000012